(57)【要約】【課題】水洗トイレで雨水や風呂の残り湯などの中水を便器の洗浄水に使用でき中水使用後は水道水の洗浄が可能で、中水と水道水の別々の選択も可能な水洗トイレ用シスタンク。【解決方法】シスタンクを水道水槽１と中水槽２の二槽に分け、各々に供給口と排出口を設け、排水用レバー９の方向により排出切り替えができる。中水不足時は水道水槽より中水槽に水路１０を通り水道水が流入し、中水供給時は中水供給ノズル４の中水供給エネルギーにより逆止弁１１を押し、水道水の中水槽への流入を防ぐ。【選択図】図１
2016079806.tif 000002
【特許請求の範囲】
【請求項１】
水洗トイレ用シスタンクであって、前記シスタンク内部を縦壁にて二分割し、水道水槽と中水槽とし、前記水道水槽上部に設けられた水道水供給口と前記水道水槽底部に設けられた水道水排出口と、前記中水槽上部に設けられた中水供給口と前記中水槽底部に設けられた中水排出口と、前記水道水槽と中水槽の各槽の排出口をシスタンク内側より塞ぐフロートバルブと、前記各槽の排水口より便器まで結合された排水パイプと、前記縦壁上部に設けられ水道水を、中水槽に流入させる水路と、前記水路に設置された中水槽側より水道水槽側に中水の流入を防ぐ逆止弁と、前記水道水供給口のシスタンク内側に設置されたボールタップと、前記中水給水口に結合された中水供給手段と、前記シスタンク排出時に使用される排出用レバー軸に結合され、前記各槽の前記フロートバルブ上部に設置され、略水平で各槽に対し１８０度違いのクランクと、該クランクより前記各槽の前記フロートバルブに結合され張力のみ伝達するフロートバルブ引き上げ用連結材と、を具備することを特徴とする、水洗トイレ用シスタンク。
【請求項２】
前記中水供給手段を前記シスタンクより高所に設置された中水備蓄タンクから自然流下させボールタップにより行なう事を特徴とする請求項１記載の水洗トイレ用シスタンク。
【請求項３】
前記中水供給手段を水位調整用センサーと、中水備蓄タンクに設置された中水用ポンプにより行なう事を特徴とする請求項１記載の水洗トイレ用シスタンク。
【請求項４】
前記中水供給手段のシスタンク内供給口より供給された中水を前記逆止弁に導き該開口を中水の供給エネルギーにより阻止する中水供給ノズルを具備する事を特徴とする請求項１，請求項２，請求項３記載の水洗トイレ用シスタンク。
【発明の詳細な説明】
【技術分野】
【０００１】  本発明は水洗トイレの使用水として、水道水と雨水や風呂の残り湯などの中水を、同時に使用できる二槽の水洗トイレ用シスタンクに関するものである。
【背景技術】
【０００２】  従来水洗トイレの節水の為、雨水や風呂の残り水を利用する技術が研究され、特許登録されている（文献１参照）。しかし、それらの中水使用の技術には中水による便器の水洗後、便器に残された中水をさらに水道水で洗浄する機能を備えた技術は少ない。中水は殺菌されてないので便器のなかに溜まり水として残したくないものである。【０００３】  その中で（文献２参照）は、便器の洗浄機能を備えているシスタンクであるが、完全ではない。その理由として、シスタンク排出止水用のフロートバルブの浮力が排出の吸引力により負け、フロートバルブが排出口に引き付けられ排出が止まるまでに、水道水用タンク下部のボールタップが開かなければならないが、その時点ではまだ中水が多く残っており、中水と水道水が混合し完全な水道水による便器の洗浄にはなっていない。【０００４】    文献１  特  ３４６３２７３
文献２  実登録  ３１４８６５４
【発明の開示】
【発明が解決しようとする課題】
【０００５】  上記問題解決点は中水槽と水道水槽とを明確に分離し中水が流れた後に水道水のみが排出され便器を洗浄し、溜まり水も水道水でなければならない課題と、中水の有無の確認や切り替え作業を行なわず、平素行なっている排出用レバー類の操作で、上記課題を実行できる課題である。
【課題を解決するための手段】
【０００６】  上記課題を解決する手段は水洗トイレ用シスタンクを縦壁にて二槽に分離し、水道水槽と中水槽とし、各々の槽に供給口と排出口を設け、各々の槽の排出口のシスタンク内側にフロートバルブを取り付け、各々の槽の排出口より排出パイプを便器に結合もしくはパイプを合流させ便器に結合させる。水道水槽内側の供給口にはボールタップを設け、水道水の供給停止を行なう。【０００７】  水道水槽より中水槽に水道水が流入し中水が逆流しない逆止弁をもつ水路を縦壁上部に設置し、シスタンク外壁に設けられた手動の排出用レバーに結合された略水平の排出用レバー軸を各層のフロートバルブ上部に通し、それぞれのフロートバルブを引き上げるクランクを略水平の１８０度違いに取り付け、クランクよりフロートバルブに、鎖やひもなどの張力のみ有効に伝達可能な引き上げ用連結材を結合させ、クランクが回りフロートバルブを引き上げる時のみ張力のかかる設定をおこなう。【０００８】  中水供給の手段として中水槽内側の供給口にはボールタップを設け、シスタンクより上方の位置のエネルギーの得られる中水貯留タンクを設置し中水の供給、停止を行なう。【０００９】  また中水貯留タンクの設置がシスタンクより下方の場合はポンプとセンサーにより中水供給制御を行なう。【００１０】  中水槽内部の中水供給口より、逆止弁近くに中水供給ノズルを設置し、中水の供給時に中水の供給エネルギーを中水槽側から逆止弁に与え逆止弁の開口を阻止させる。
【発明の効果】
【００１１】  この発明により水道水槽は確実に水道水を貯留する、しかし不安定な中水供給に対して中水槽は水道水との混合状態は避けられない、請求項１の基本形状と請求項２の中水供給を中水備蓄タンクよりの自然流下とボールタップ制御にする利点は、電気を使用しない信頼性の高い単純な構造であるが、供給流速の差異により中水供給速度が水道水に劣った場合水道水が逆止弁を通過し中水槽に流入する欠点を持っている。【００１２】  請求項３のセンサーとポンプの組み合わせも同じ欠点があるがポンプ能力により中水の供給速度の調整が可能である。【００１３】  しかし請求項４の中水供給ノズルを使用すれば上記の欠点である水道水供給速度が勝っている場合でも中水供給が続けば中水供給エネルギーにより逆止弁を閉塞し水道水の流入を止め水道水の使用量を減少させることができる。【００１４】  この発明の効果により水洗トイレ便器洗浄時に、タンクの排出レバーを常時行なっている様に水平に起こすと、中水が排出し、中水が便器内を洗浄する。しかし便器内は中水が残っている状態であるので水道水でもういちど洗浄したい場合、排出用レバーを逆の方向に回すと水道水が排出する。小用の時は水道水の方向にレバーを回せばよい。中水の不足時には中水槽は水道水で自動的に充填され、使用者は中水の有無に配慮しなくてよい。【００１５】  また水道水の断水時は水道水の洗浄ができないだけであり、中水が有れば水洗トイレは機能する。とくに請求項１と請求項２の組み合わせは、停電断水状況でも機能する。
【実施例】
【００１６】  実施の形態を図１に基づいて説明する。１が水道水槽で、２が中水槽で、縦壁１９によりシスタンクを二分割している。水道水槽１はボールタップ３により水道水が供給される。水道水は、ボールタップ３のボールの浮力により規定の水位で供給は停止する。１０は水路で逆止弁１１を備えている。中水が供給されない場合水道水は水路１０を通り逆止弁を開き中水槽に流入し水道水用ボールタップが停止する水位になる。【００１７】  中水の供給手段として図２に雨水を使用する例を示す。屋根から樋に集められた雨水はスクリーンを通り中水備蓄タンクに集められ、自然流下とシスタンク内のボールタップ１４により供給される。逆止弁１１が中水の水道水槽１への流入を防ぐ。水道水供給スピードが中水供給スピードより勝ると中水槽２は水道水と中水の混合となる。【００１８】  排出用レバー９を右回りに上げ元に戻すと、排出用レバー軸８が回転しクランクが連結材１６を引きフロートバルブ６を引き上げる。フロートバルブ６は浮力により浮き上がり停止手段１８により所定の位置で停止し中水の排出が始まる。この時点で中水が供給され、また水道水も逆止弁１１を通り中水槽に流入する。中水の排出スピードが供給スピードに勝り、やがて中水水位が下がりフロートバルブ６が排出口に吸着され排出が停止する。中水の排出が停止すると中水供給と水道水供給が続いていることにより中水槽が水道水用ボールタップ３又は中水槽用ボールタップ１４の規定の水位で充填され停止する。【００１９】  次に排出用レバー９を左回りに上げて元に戻すと排出用レバー軸８が回転し、連結材１６はたるみが生じてクランクが連結材１５のみ引き上げ、水道水用フロートバルブ５が浮き上がり水道水が排出され、同時にボールタップ３のフロートが下がり水道水が供給される。水道水も排出スピードが供給スピードより勝り、やがて水位が下がりフロートバルブ５が排出口に吸着され排出が停止する。この時点で水道水槽１は中水槽２より水位が低い状態にあるが、水路１０に設置された逆止弁１１の働きにより、先に中水が規定の水位になった場合でも水道水槽に流入しない。【００２０】図３は水位感知用センサー１２とシスタンク下位に設置された中水備蓄タンク又は浴槽などとポンプ１３による中水供給手段である。中水備蓄タンクを高架にすると費用や場所に制約がある場合に有効でありかつポンプ能力により中水供給量の調整が可能である。センサー位置より水位が下がるとポンプが動き中水を供給しセンサー位置で停止する。【００２１】  図４は中水供給ノズル４の機能を表した図で、中水が排出され始めると、水道水槽の水位が中水槽の水位より高くなり縦壁１９上部に設置された水路１０から逆止弁１１を通り水道水が中水槽に流入しようとするが、中水供給ノズル４の先端より供給される中水が逆止弁１１を中水の動圧や流量などの中水供給エネルギーで押し続け水道水槽よりの水道水の流入を止め続ける。図３Ａはノズルの先端から噴出する中水の動圧の場合で、図３Ｂは弁に小穴を持つ箱を設けその中に溜まる中水の重量を利用する場合である。この機能により中水槽に水道水は流入しない、したがって水道水の使用量を減少させる機能がある。
【図面の簡単な説明】
【００２２】
【図１】シスタンクの基本断面図
【図２】雨水を利用し自然流下とボールタップ制御
【図３】ポンプを使用するセンサー制御
【図４】逆止弁を中水供給エネルギーで押さえ水道水の使用量を少なくする。
【符号の説明】
【００２１】１    水道水槽
２    中水槽
３    水道水供給用ボールタップ
４    中水供給ノズル
５    水道水排出口用フロートバルブ
６    中水排出口用フロートバルブ
７    排出パイプ
８    二個のクランクを持つ排出用レバー軸
９    排出用レバー
１０  水路
１１  逆止弁
１２  センサー
１３  中水供給用ポンプ
１４  中水供給用ボールタップ
１５  水道水槽用フロートバルブ引き上げ用連結材
１６  中水槽用フロートバルブ引き上げ用連結材
１７  中水貯留タンク
１８  フロートバルブの停止手段
１９  縦壁
【図１】
2016079806.tif 000003
【図２】
2016079806.tif 000004
【図３】
2016079806.tif 000005
【図４】
2016079806.tif 000006